【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
外部からの入力に応じて、複数のアプリケーションを起動する起動部と、
前記複数のアプリケーションに対応する画面を複数生成する画像生成部と、
前記画像生成部により生成された複数の画面を、表示画面に並列して表示するよう制御する表示制御部と、
を備え、
前記表示制御部は、第１と第２のアプリケーションに対応する第１と第２の画面の並列表示を、外部からの単一の入力に応じて、第３と第４のアプリケーションに対応する第３と第４の画面の並列表示に切り替えるよう制御する、情報処理装置。
【請求項２】
前記表示制御部は、外部からの単一のジェスチャーアクションに応じて、表示の切り替えを行う、請求項１に記載の情報処理装置。
【請求項３】
前記情報処理装置は、
前記表示画面と閲覧ユーザとの相対姿勢関係を推定する姿勢関係推定部をさらに備え、
前記表示制御部は、前記姿勢関係推定部により推定される姿勢関係に応じて、前記表示画面に並列して表示している複数の画面を、画面サイズを不変のまま回転させる、請求項１または２に記載の情報処理装置。
【請求項４】
前記情報処理装置は、
コンテキストを検出するコンテキスト検出部をさらに備え、
前記起動部は、前記コンテキスト検出部により検出されたコンテキストに応じたアプリケーションを自動的に起動する、請求項１〜３のいずれか１項に記載の情報処理装置。
【請求項５】
前記コンテキスト検出部は、コンテキストごとにアプリケーションの使用頻度履歴を記憶し、
前記起動部は、前記使用頻度履歴に基づいて、現在のコンテキストに応じた適切なアプリケーションを自動的に起動する、請求項４に記載の情報処理装置。
【請求項６】
前記第１と第２のアプリケーションと、前記第３と第４のアプリケーションは、それぞれ異なるアプリケーションセットに属する、請求項１〜５のいずれか１項に記載の情報処理装置。
【請求項７】
前記表示制御部は、複数の画面の並列表示と、前記複数の画面に含まれる１の画面の全画面表示とを、外部からの単一の入力に応じて切り替える、請求項１〜６のいずれか１項に記載の情報処理装置。
【請求項８】
前記表示制御部は、複数の画面が並ぶ並列方向へのスワイプ操作入力に応じて、並列表示されている前記複数の画面を、順次、同じアプリケーションセットに属する他のアプリケーションに対応する画面に切り替える、請求項１〜７のいずれか１項に記載の情報処理装置。
【請求項９】
前記表示制御部は、並列表示されている複数の画面のうち、１の画面の境界線付近での並列方向へのドラッグ操作入力に応じて、前記１の画面の表示領域を並列方向へ拡張／縮小する、請求項１〜８のいずれか１項に記載の情報処理装置。
【請求項１０】
前記表示制御部は、並列方向へのスワイプ操作入力に応じて、アプリケーションセットに属する複数の画面をスクロールさせ、アプリケーションセットの末尾までスクロールした到達した際、アプリケーションの追加画面を表示し、
前記起動部は、前記追加画面における追加操作入力に応じて、選択されたアプリケーションを当該アプリケーションセットに追加し、起動する、請求項１〜９のいずれか１項に記載の情報処理装置。
【請求項１１】
前記表示制御部は、隣り合う２つの画面をピンチアウトする操作入力に応じて当該２つの画面を離隔し、当該２つの画面の間にアプリケーションの追加画面を新たに表示し、
前記起動部は、前記追加画面における追加操作入力に応じて、選択されたアプリケーションをアプリケーションセットに追加し、起動する、請求項１〜１０のいずれか１項に記載の情報処理装置。
【請求項１２】
前記表示制御部は、１の画面を挟む位置に表示されている２つの画面をピンチインする操作入力に応じて当該１の画面を非表示制御し、
前記起動部は、非表示となった前記１の画面に対応するアプリケーションを終了させ、当該アプリケーションをアプリケーションセットから削除する、請求項１〜１１のいずれか１項に記載の情報処理装置。
【請求項１３】
前記表示制御部は、画面への長押し操作に応じて、並列に表示された複数の画面それぞれに削除ボタンを表示し、タップされた削除ボタンに対応する画面を非表示制御し、
前記起動部は、非表示となった画面に対応するアプリケーションを終了させ、当該アプリケーションをアプリケーションセットから削除する、請求項１〜１２のいずれか１項に記載の情報処理装置。
【請求項１４】
前記表示制御部は、画面への長押し操作入力後、並列方向へのドラッグ操作入力に応じて、ドラッグ操作開始位置に表示されている画面の表示位置を、ドラッグ操作終了位置に表示されている画面の表示位置と入れ替える、請求項１〜１３のいずれか１項に記載の情報処理装置。
【請求項１５】
前記表示制御部は、複数の画面が並ぶ並列方向と垂直の方向へのスワイプ操作入力に応じて、第１のアプリケーションセットに属する第１と第２のアプリケーションに対応する第１と第２の画面の並列表示を、第２のアプリケーションセットに属する第３と第４のアプリケーションに対応する第３と第４の画面の並列表示に切り替えるよう制御する、請求項１〜１４のいずれか１項に記載の情報処理装置。
【請求項１６】
前記表示制御部は、並列方向へのスクロール操作入力に応じて、アプリケーションセットに属する複数の画面をスクロールし、アプリケーションセットの先頭に到達した際、アプリケーションセットの編集画面を表示し、
前記情報処理装置は、
前記編集画面における編集操作入力に応じて、アプリケーションセットの編集を行うアプリケーションセット編集部をさらに備える、請求項１〜１５のいずれか１項に記載の情報処理装置。
【請求項１７】
前記画像生成部は、１のアプリケーションに対応する複数の画面を生成し、
前記表示制御部は、１のアプリケーションに対応する複数の画面を表示画面に並列して表示するよう制御する、請求項１〜１６のいずれか１項に記載の情報処理装置。
【請求項１８】
前記起動部は、前記表示画面に並列して表示された複数の画面間でデータを連携させる、請求項１〜１７のいずれか１項に記載の情報処理装置。
【請求項１９】
コンピュータを、
外部からの入力に応じて、複数のアプリケーションを起動する起動部と、
前記複数のアプリケーションに対応する画面を複数生成する画像生成部と、
前記画像生成部により生成された複数の画面を、表示画面に並列して表示するよう制御する表示制御部と、
として機能させ、
前記表示制御部は、第１と第２のアプリケーションに対応する第１と第２の画面の並列表示を、外部からの単一の入力に応じて、第３と第４のアプリケーションに対応する第３と第４の画面の並列表示に切り替えるよう制御するプログラムが記憶された、記憶媒体。
【請求項２０】
外部からの入力に応じて、複数のアプリケーションを起動するステップと、
前記複数のアプリケーションに対応する画面を複数生成するステップと、
生成された複数の画面をユーザ端末に送信し、前記ユーザ端末の表示画面に並列して表示するよう制御するステップと、
前記表示画面に表示される第１と第２のアプリケーションに対応する第１と第２の画面の並列表示を、外部からの単一の入力に応じて、第３と第４のアプリケーションに対応する第３と第４の画面の並列表示に切り替えるようプロセッサにより制御するステップと、
を含む、制御方法。
【手続補正２】
【補正対象書類名】明細書
【補正対象項目名】００１４
【補正方法】変更
【補正の内容】
【００１４】
また、説明は以下の順序で行うものとする。
１．本開示の一実施形態による情報処理装置の概要
２．基本構成
３．動作処理
３−１．アプリケーションセットの切換
３−２．コンテキストに応じたアプリケーションセットの切換
４．表示制御例
４−１．全画面表示制御
４−２．スクロール表示制御
４−３．表示領域調整制御
４−４．アプリケーションセットへのアプリケーションの追加
４−５．アプリケーションセットからのアプリケーションの削除
４−６．アプリケーションの表示順序の変更
４−７．アプリケーションセットの切り替え
４−８．アプリケーションセットの編集
４−９．画面の回転表示制御
４−１０．同一アプリケーションの複数画面表示
４−１１．複数画面間の連携操作
５．他の実施形態
６．まとめ
【手続補正３】
【補正対象書類名】明細書
【補正対象項目名】００７７
【補正方法】変更
【補正の内容】
【００７７】
＜４−５．アプリケーションセットからのアプリケーションの削除＞
次に、図１０および図１１を参照してアプリケーションセットからのアプリケーションの削除について説明する。
【手続補正４】
【補正対象書類名】明細書
【補正対象項目名】００８６
【補正方法】変更
【補正の内容】
【００８６】
＜４−７．アプリケーションセットの切り替え＞
次に、図１３を参照してアプリケーションセットの切り替えについて説明する。図１３は、本実施形態によるアプリケーションセットの切り替えにおける画面遷移の一例を示す遷移図である。図１３に示すように、表示部１４に、同一のアプリケーションセットに属する複数のアプリケーションに対応する画面２１ａ〜２１ｃが並列表示されている際、ユーザは、並列方向に対して垂直の方向（縦方向）に２本指でスワイプ操作Ｔ９を行う。
【手続補正５】
【補正対象書類名】明細書
【補正対象項目名】００９６
【補正方法】変更
【補正の内容】
【００９６】
アイコンの一覧Ｉから、ユーザによるタップ操作Ｔ４’でアイコンＩ２が選択されると、起動部１１０は、アイコンＩ２で示されるアプリケーションを当該アプリケーションセットに追加し、追加したアプリケーションを起動する。そして、表示制御部１３０は、起動されたアプリケーションに対応する画面３０ａを、追加画面２２に差し替えて左端に表示し、画面３０ａの隣に新たに追加画面２２’を表示する。このように、本実施形態では、アプリケーションセットの先頭（例えば左端）から順にアプリケーションを追加することができる。
【手続補正６】
【補正対象書類名】明細書
【補正対象項目名】０１０１
【補正方法】変更
【補正の内容】
【０１０１】
＜４−１０．同一アプリケーションの複数画面表示＞
次に、図１７を参照して同一アプリケーションの複数画面表示について説明する。図１７は、本実施形態による同一アプリケーションの複数画面表示の一例を示す図である。図１７に示す各例では、表示部１４において、１のアプリケーションに対応する画面が全画面表示されている。この際、表示制御部１３０は、表示部１４を複数画面に分割し、同一アプリケーションを複数画面（ウィンドウ）で表示することで、アプリケーション利用の利便性を向上させることができる。
【手続補正７】
【補正対象書類名】明細書
【補正対象項目名】０１０７
【補正方法】変更
【補正の内容】
【０１０７】
ユーザは、画面２７ｂにおいて画像に対して色味の調整等の編集を行い、編集した画像を、さらに画面２７ｃの領域へのドラッグ・ドロップ操作Ｔ８’を行うと、編集された画像が画面２７ｃに移行され、ＳＮＳアプリケーションの処理対象とされる。具体的には、ＡＰ起動部１１０は、ユーザによるドラッグ・ドロップ操作Ｔ８’に応じて、ドラッグ開始位置に表示されているデータを、ドロップ位置に対応するＳＮＳアプリケーションに移行し、他ユーザと共有させることができる。
【手続補正８】
【補正対象書類名】明細書
【補正対象項目名】０１１６
【補正方法】変更
【補正の内容】
【０１１６】
（通信部）
通信部５１は、ネットワークを介して、ユーザが所持するユーザ端末や、他の各種サーバ等の外部装置と接続し、データの送受信を行う機能を有する。例えば通信部５１は、ユーザ端末から、ユーザによる操作入力の情報や、ジャイロセンサ１５により検出された情報、カメラモジュール１６により取得された撮像画像等を受信する。また、通信部５１は、送信制御部５３０による制御に従って、画像生成部５２０により生成された、アプリケーションに対応する画面の表示情報を、ユーザ端末に送信する。
【手続補正９】
【補正対象書類名】図面
【補正対象項目名】図１２
【補正方法】変更
【補正の内容】
【図１２】
2015041271.tif 000001